(57)【特許請求の範囲】
【請求項１】
顕微鏡における対物レンズ又はステージのいずれか一方を移動させる顕微鏡の焦準装置において、
前記ステージよりも後方側に設けられ、前記対物レンズ又は前記ステージのいずれか一方を粗動又は微動させる粗微動焦準機構と、
前記ステージの先端部を含む前方側に設けられ、前記対物レンズ又は前記ステージのいずれか一方を粗動又は微動させるための粗微動焦準操作部と、
前記粗微動焦準機構と前記粗微動焦準操作部とを連動させる連動機構と、
前記粗微動焦準機構と前記粗微動焦準操作部とのそれぞれの少なくとも一端側に同軸に設けられた各粗微動ハンドルと、
を具備し、
前記粗微動焦準機構は、粗動軸と微動軸とが同軸に設けられ、
前記粗微動焦準操作部は、中空に形成され、軸受けと中空形状の粗動軸と微動軸とが同軸状に順に挿入され、
前記連動機構は、前記粗微動焦準機構の前記粗動軸と前記粗微動焦準操作部の前記粗動軸との間に掛けられて回転力を伝達する第１のベルトと、前記粗微動焦準機構の前記微動軸と前記粗微動焦準操作部の前記微動軸との間に掛けられて回転力を伝達する第２のベルトとを有し、前記粗動ハンドルの回転操作により前記粗微動焦準機構の前記粗動軸が前記第１のベルトを介して連動して回転して前記対物レンズ又は前記ステージを粗動させ、又は前記微動ハンドルの回転操作により前記粗微動焦準機構の前記微動軸が前記第２のベルトを介して連動して回転して前記対物レンズ又は前記ステージを微動させる、
ことを特徴とする顕微鏡の焦準装置。
【請求項２】
顕微鏡における対物レンズ又はステージのいずれか一方を移動させる顕微鏡の焦準装置において、
前記ステージよりも後方側に設けられ、前記対物レンズ又は前記ステージのいずれか一方を粗動又は微動させる粗微動焦準機構と、
前記ステージの先端部を含む前方側に設けられ、前記対物レンズ又は前記ステージのいずれか一方を粗動又は微動させるための粗微動焦準操作部と、
前記粗微動焦準機構と前記粗微動焦準操作部とを連動させる連動機構と、
前記粗微動焦準機構と前記粗微動焦準操作部とのそれぞれの少なくとも一端側に設けられた各粗微動ハンドルと、
前記粗微動焦準操作部に設けられ、前記対物レンズと前記ステージとの間隔を狭くする方向への前記対物レンズ又は前記ステージの移動を阻止するストッパハンドルと、
を具備し、
前記粗微動焦準機構は、粗動軸と微動軸とが設けられ、
前記粗微動焦準操作部は、中空に形成され、軸受けと中空形状の粗動軸と微動軸とが順に挿入され、
前記連動機構は、前記粗微動焦準機構の前記粗動軸と前記粗微動焦準操作部の前記粗動軸との間に掛けられて回転力を伝達する第１のベルトと、前記粗微動焦準機構の前記微動軸と前記粗微動焦準操作部の前記微動軸との間に掛けられて回転力を伝達する第２のベルトとを有し、前記粗動ハンドルの回転操作により前記粗微動焦準機構の前記粗動軸が前記第１のベルトを介して連動して回転して前記対物レンズ又は前記ステージを粗動させ、又は前記微動ハンドルの回転操作により前記粗微動焦準機構の前記微動軸が前記第２のベルトを介して連動して回転して前記対物レンズ又は前記ステージを微動させる、
ことを特徴とする顕微鏡の焦準装置。
【請求項３】
前記第１のベルトは、タイミングベルトであることを特徴とする請求項１又は２記載の顕微鏡の焦準装置。
【請求項４】
前記第２のベルトは、丸ベルトであることを特徴とする請求項１又は２記載の顕微鏡の焦準装置。
【請求項５】
前記粗微動焦準操作部は、前記顕微鏡のベースの先端側よりも前方側に設けられたことを特徴とする請求項１又は２記載の顕微鏡の焦準装置。
【発明の詳細な説明】
【０００１】
【発明の属する技術分野】
本発明は、顕微鏡における対物レンズ又はステージのいずれか一方を移動させる顕微鏡の焦準装置の改良に関する。
【０００２】
【従来の技術】
顕微鏡において標本に対してフォーカスを合わせる焦準装置としては、対物レンズを上下方向に移動（以下、上下動と省略する）させるか、又は標本を載置するステージを上下動させている。例えば、対物レンズを上下動させる焦準装置では、粗動ハンドルと微動ハンドルとが設けられている。このうち粗動ハンドルが回転操作されると、この粗動ハンドルの回転が粗動軸に伝達され、さらにこの回転がピニオン・ラックに伝達されて上下方向への移動に変換され、対物レンズが上下方向のガイドに沿って上下動（粗動）する。
【０００３】
又、微動ハンドルが回転操作されると、この微動ハンドルの回転が減速ギヤ等により減速されて上記粗動軸に伝達され、さらにこの回転がピニオン・ラックに伝達されて上下方向への移動に変換され、対物レンズが上下方向のガイドに沿って上下動（微動）する。
【０００４】
従って、粗動ハンドルと微動ハンドルとが同一回転量だけ回転操作されても、粗動ハンドルを回転操作したときの対物レンズの上下方向の移動量の方が、微動ハンドルを回転操作したときの対物レンズの上下方向の移動量よりも大きく、いわゆる粗動ハンドルの操作時が対物レンズの粗動となり、微動ハンドルの操作時が対物レンズの微動となる。
【０００５】
ところが、このような焦準装置の粗微動焦準ハンドルは、顕微鏡本体のフロント側から見てステージよりも奥の下方側に設けられている。これは対物レンズ又はステージを上下動させるためのガイドがステージよりも奥側に設けられているからである。なお、このガイドには、対物レンズ又はステージを保持するアームが片持ちの状態で固定されている。
【０００６】
このように粗微動焦準ハンドルが顕微鏡本体のフロント側から見てステージよりも奥の下方側に設けられていると、例えばパッチクランプ法などのステージ回りに様々な機材を設置して標本の観察を行う場合や、顕微鏡のシステムによって検鏡する観察者の目の位置が高くなる場合などでは、粗微動焦準ハンドルの操作性が非常に悪化する。
【０００７】
このような粗微動焦準ハンドルの操作性を改善した技術としては、例えば図６に示す特開平６−２２２２７６号公報に記載された顕微鏡焦準装置がある。顕微鏡フレーム１は、水平アーム部１ａとベース部１ｂと垂直部１ｃとからなっている。この顕微鏡フレーム１のベース部１ｂには光源２が設けられると共に、水平アーム部１ａには対物レンズ３と鏡筒４と接眼レンズ５とが設けられている。
【０００８】
顕微鏡フレーム１の垂直部１ｃには、固定台６が設けられ、この固定台６にガイド７を介して上下台８が上下動するように設けられている。そして、この上下台８には、ステージホルダ９が片持ちの状態で支持されている。このステージホルダ９には、標本１０を載置するステージ１１が設けられると共に、その下方にコンデンサレンズ１２が設けられている。
【０００９】
又、顕微鏡フレーム１の例えばベース部１ｂには、ステージ１１を上下動するための操作ハンドル１３が回転可能に支持されている。この操作ハンドル１３には、次の構造の伝達機構が設けられている。操作ハンドル１３には、ピニオン１４、水平ラック１５を介して前後台１６が連結されている。この前後台１６は、ガイド１７を介して固定板１８上に設けられている。又、前後台１６には、水平ラック１９が設けられ、これにアイドラー２０が歯合している。このアイドラー２０は、上下台８に設けられた垂直ラック２１に歯合している。
【００１０】
従って、操作ハンドル１３が回転操作されると、この操作ハンドル１３の回転がピニオン１４及び水平ラック１５を介して前後台１６の前後方向への移動に変換され、この前後台１６の移動が水平ラック１９及びアイドラー２０を介して垂直ラック２１の上下動に変換される。これにより上下台８が上下動するので、ステージ１１が上下動する。
【００１１】
【発明が解決しようとする課題】
しかしながら、上記顕微鏡焦準装置では、操作ハンドル１３にピニオン１４、水平ラック１５を介して前後台１６を連結し、この前後台１６に水平ラック１９、アイドラー２０を歯合し、さらに垂直ラック２１を介して上下台８を連結しているので、その伝達機構の構造が複雑となり、機械的な連結箇所が多くなるためにガタ等が生じて伝達精度が高いとは言えない。又、上記伝達機構では、組み立て、調整が大変であり、コストも高くなる。
【００１２】
そこで本発明は、簡単な構成で、操作性を向上できる顕微鏡の焦準装置を提供することを目的とする。
【００１３】
【課題を解決するための手段】
請求項１記載による本発明は、顕微鏡における対物レンズ又はステージのいずれか一方を移動させる顕微鏡の焦準装置において、前記ステージよりも後方側に設けられ、前記対物レンズ又は前記ステージのいずれか一方を粗動又は微動させる粗微動焦準機構と、前記ステージの先端部を含む前方側に設けられ、前記対物レンズ又は前記ステージのいずれか一方を粗動又は微動させるための粗微動焦準操作部と、前記粗微動焦準機構と前記粗微動焦準操作部とを連動させる連動機構と、前記粗微動焦準機構と前記粗微動焦準操作部とのそれぞれの少なくとも一端側に同軸に設けられた各粗微動ハンドルとを具備し、前記粗微動焦準機構は、粗動軸と微動軸とが同軸に設けられ、前記粗微動焦準操作部は、中空に形成され、軸受けと中空形状の粗動軸と微動軸とが同軸状に順に挿入され、前記連動機構は、前記粗微動焦準機構の前記粗動軸と前記粗微動焦準操作部の前記粗動軸との間に掛けられて回転力を伝達する第１のベルトと、前記粗微動焦準機構の前記微動軸と前記粗微動焦準操作部の前記微動軸との間に掛けられて回転力を伝達する第２のベルトとを有し、前記粗動ハンドルの回転操作により前記粗微動焦準機構の前記粗動軸が前記第１のベルトを介して連動して回転して前記対物レンズ又は前記ステージを粗動させ、又は前記微動ハンドルの回転操作により前記粗微動焦準機構の前記微動軸が前記第２のベルトを介して連動して回転して前記対物レンズ又は前記ステージを微動させることを特徴とする顕微鏡の焦準装置である。
【００１４】
請求項２記載による本発明は、顕微鏡における対物レンズ又はステージのいずれか一方を移動させる顕微鏡の焦準装置において、前記ステージよりも後方側に設けられ、前記対物レンズ又は前記ステージのいずれか一方を粗動又は微動させる粗微動焦準機構と、前記ステージの先端部を含む前方側に設けられ、前記対物レンズ又は前記ステージのいずれか一方を粗動又は微動させるための粗微動焦準操作部と、前記粗微動焦準機構と前記粗微動焦準操作部とを連動させる連動機構と、前記粗微動焦準機構と前記粗微動焦準操作部とのそれぞれの少なくとも一端側に設けられた各粗微動ハンドルと、前記粗微動焦準操作部に設けられ、前記対物レンズと前記ステージとの間隔を狭くする方向への前記対物レンズ又は前記ステージの移動を阻止するストッパハンドルとを具備し、前記粗微動焦準機構は、粗動軸と微動軸とが設けられ、前記粗微動焦準操作部は、中空に形成され、軸受けと中空形状の粗動軸と微動軸とが順に挿入され、前記連動機構は、前記粗微動焦準機構の前記粗動軸と前記粗微動焦準操作部の前記粗動軸との間に掛けられて回転力を伝達する第１のベルトと、前記粗微動焦準機構の前記微動軸と前記粗微動焦準操作部の前記微動軸との間に掛けられて回転力を伝達する第２のベルトとを有し、前記粗動ハンドルの回転操作により前記粗微動焦準機構の前記粗動軸が前記第１のベルトを介して連動して回転して前記対物レンズ又は前記ステージを粗動させ、又は前記微動ハンドルの回転操作により前記粗微動焦準機構の前記微動軸が前記第２のベルトを介して連動して回転して前記対物レンズ又は前記ステージを微動させることを特徴とする顕微鏡の焦準装置である。
【００１５】
請求項３記載による本発明は、請求項１又は２記載の顕微鏡の焦準装置において、前記第１のベルトは、タイミングベルトであることを特徴とする。
【００１６】
請求項４記載による本発明は、請求項１又は２記載の顕微鏡の焦準装置において、前記第２のベルトは、丸ベルトであることを特徴とする。
請求項５記載による本発明は、請求項１又は２記載の顕微鏡の焦準装置において、前記粗微動焦準操作部は、前記顕微鏡のベースの先端側よりも前方側に設けられたことを特徴とする。
【００１７】
【発明の実施の形態】
以下、本発明の一実施の形態について図面を参照して説明する。
【００１８】
図１乃至図３は顕微鏡の焦準装置の構成図であって、図１は側面図、図２は正面図、図３は上方から見たベース部の断面構成図である。顕微鏡フレーム３０は、Ｙ字形状に形成され、ベース部３１と垂直部３２とからなり、このうちの垂直部３２には投光観察用の水平アーム部３３が取り付けられている。この投光観察用の水平アーム部３３には、落射照明用光源３４ａや接眼レンズ３５、各種フィルタ、ビームスプリッタなどの光学素子などが設けられている。垂直部３２の背面側には、透過照明用光源３４ｂが設けられている。
【００１９】
顕微鏡フレーム３０のベース部３１の前方側（フロント側）には、固定台３６ａがビス止め固定され、この固定台３６ａに２本の足３６、３６が立設され、これら足３６、３６によりステージ３７が固定されている。なお、ステージ３７の垂直部３２側は、支持台３８により固定されている。なお、ステージ３７の下方には、コンデンサレンズ３９が支持台３８により支持されている。
【００２０】
顕微鏡フレーム３０の垂直部３２には、上下台４０が上下方向に移動自在に設けられている。この上下台４０は、図３に示すようにガイド体４１により移動自在に支持されている。この上下台４０には、レボルバアーム４２が片持ち状態で支持されている。このレボルバアーム４２には、所望の倍率の対物レンズ４３を使用できるように、対物レンズ４３が装着されたレボルバ４４が取り付け、取り外し自在となっている。
【００２１】
顕微鏡フレーム３０のベース部３１の後方側（ステージ３７よりも奥側）には、上下台４０を上下方向に粗動又は微動させる粗微動焦準機構が設けられている。この粗微動焦準機構は、図３に示すように粗動軸４５と微動軸４６とが同軸に設けられている。なお、粗動軸４５は中空に形成され、この中空部に微動軸４６が設けられている。これら粗動軸４５と微動軸４６との一端側、例えば図３中右側の一端側には、粗動ハンドル４７と微動ハンドル４８とが取り付けられている。粗動ハンドル４７は、粗動軸４５に連結され、粗動ハンドル４７の回転力が粗動軸４５に伝達されて当該粗動軸４５を回転させるものとなっている。微動ハンドル４８は、微動軸４６に連結されると共に図示しない減速ギヤ等を介して粗動軸４５に連結されている。粗動軸４５の他端側には、歯付きプーリ４９が取り付けられると共に、微動軸４６の他端側には、Ｖ溝が形成された微動プーリ５０が取り付けられている。
【００２２】
図４は上記粗動軸４５の中央部の断面構成図である。この粗動軸４５の中央部には、ピニオン部５１が形成されている。このピニオン部５１は、粗動軸４５の外周径を小さくし、かつ当該外周に歯部を形成したものである。このピニオン部５１は、上下台４０に固定されたラック５２に歯合している。なお、粗動軸４５は、軸受け５３により支持されている。
【００２３】
従って、粗動ハンドル４７が回転操作されると、この回転が粗動軸４５に伝達され、ピニオン部５１からラック５２を介して上下動に変換される。このラック５２が上下動することにより、上下台４０に支持された対物レンズ４４の取り付けられたレボルバアーム４２が上下動（粗動）する。
【００２４】
又、微動ハンドル４８が回転操作されると、この回転が減速ギヤを介して減速されて粗動軸４５に伝達され、ピニオン部５１からラック５２を介して上下動に変換される。このラック５２が上下動することにより、上下台４０に支持された対物レンズ４４の取り付けられたレボルバアーム４２が上下動（微動）する。
【００２５】
一方、ステージ３７の先端部を含む前方側には、対物レンズ４４を粗動又は微動させるための粗微動焦準操作部が設けられている。すなわち、顕微鏡フレームのベース部３１の先端に固定された固定台３６ａに、略円筒状の操作部本体５４Ａがビス止め固定されている。この操作部本体５４Ａは中空に形成され、スリーブ上の軸受け６０と中空形状の粗動軸５４と微動軸５５が同軸状に順に挿入されている。これら粗動軸５４と微動軸５５との一端側、例えば図３中右側の一端側には、粗動ハンドル５６と微動ハンドル５７とが取り付けられている。なお、粗動ハンドル５６と微動ハンドル５７とは、それぞれ粗動軸５４と微動軸５５とに対してねじ止めされている。
【００２６】
粗動ハンドル５６は、粗動軸５４に連結され、粗動ハンドル５６の回転力が粗動軸５４に伝達されて当該粗動軸５４を回転させるものとなっている。微動ハンドル５７は、微動軸５５に連結され、微動ハンドル５７の回転力が微動軸５５に伝達されて当該微動軸５５を回転させるものとなっている。
【００２７】
粗動軸５５の他端側には、歯付きプーリ５８が取り付けられると共に、微動軸５５の他端側には、周面に丸ベルト６２を掛けるＶ溝が形成されたプーリを兼ねた微動つまみ５９が取り付けられている。なお、粗動軸５４は、軸受け６０により支持されている。
【００２８】
この粗微動焦準操作部と上記粗微動焦準機構との間には、連動機構が設けられている。歯付きプーリ５８と歯付きプーリ４９との間には、図５に示すような歯付きのタイミングベルト６１が掛けられて連結されている。これと共に微動プーリ５０と微動つまみ５９とのプーリ部分（Ｖ字溝）の間には、丸ベルト６２が掛けられて連結されている。従って、上記粗微動焦準機構と上記粗微動焦準操作部とは、歯付きのタイミングベルト６１、丸ベルト６２、微動プーリ５０、プーリを兼ねた微動つまみ５９、歯付きプーリ４９、５８により連動するものとなっている。
【００２９】
粗動ハンドル５６の内側には、ストッパハンドル６３が回動自在に設けられている。このストッパハンドル６３は、一方に回動させることにより対物レンズ４４とステージ３７との間隔を狭くする方向、すなわち対物レンズ４４の下方への移動を阻止（ロック）すると共に、上方への移動は許可するものとなっている。すなわち、粗動ハンドル５６及び微動ハンドル５７の対物レンズ４４を下方へ移動させる方向の回転がロックされる。
【００３０】
従って、粗動ハンドル５６と微動ハンドル５７とを回転操作してジャストフォーカス等の所望の位置に対物レンズ４４を位置決めしたときにストッパハンドル６３を一方に回動させると、当該対物レンズ４４の位置で当該対物レンズ４４の下方への移動をロックし、対物レンズ４４の上方への移動は許可するものとなる。なお、ストッパハンドル６３を他方に回動させれば、対物レンズ４４の下方への移動のロックは解除される。
【００３１】
このようにロックした位置（フォーカス位置）よりも下方に対物レンズ４４を下降させないので、対物レンズ４４を上方へ移動させた後に下降させても、再び対物レンズ４４を再びフォーカス位置に戻す（再焦準）ものとなる。
【００３２】
次に、上記の如く構成された焦準装置の作用について説明する。
【００３３】
観察者が標本をステージ３７上に載置して観察を行う場合、観察者は顕微鏡のフロント側に設けられている粗動ハンドル５６又は微動ハンドル５７を回転操作する。
【００３４】
フロント側の粗動ハンドル５６が回転操作されると、この回転が粗動軸５４から歯付きプーリ５８を介してタイミングベルト６１に伝達され、さらにステージ３７よりも奥方にある歯付きプーリ４９から粗動軸４５に伝達される。そして、この粗動軸４５が回転すると、この回転がピニオン部５１からラック５２を介して上下動に変換される。このラック５２が上下動することにより、上下台４０に支持された対物レンズ４４の取り付けられたレボルバアーム４２が上下動（粗動）する。
【００３５】
又、フロント側の微動ハンドル５７が回転操作されると、この回転が微動軸５５から微動つまみ５９を介して丸ベルト６２に伝達され、さらにステージ３７よりも奥方にある微動プーリ５０から微動軸４６に伝達される。そして、この微動軸４６が回転すると、この回転が減速ギヤにより減速されて粗動軸４５に伝達され、この粗動軸４５の回転がピニオン部５１からラック５２を介して上下動に変換される。このラック５２が上下動することにより、上下台４０に支持された対物レンズ４４の取り付けられたレボルバアーム４２が上下動（微動）する。
【００３６】
このように観察者によってフロント側の粗動ハンドル５６又は微動ハンドル５７を回転操作するようにすると、例えば、標本に対してマニュプレータを繋いで標本を観察し取り調べる場合や、標本の大きさが大きくなって垂直部３２と水平アーム部３３との間にスペーサを介在させて接眼レンズ３５の位置（アイポイント）が高くなった場合に、フロント側の粗動ハンドル５６及び微動ハンドル５７が観察者の手が容易に届く場所であり、標本を観察しながら粗動ハンドル５６及び微動ハンドル５７を回転操作できる。
【００３７】
又、標本の観察中に対物レンズ４４を交換したり、標本を交換、又は標本に対して処理するなどの作業をするときには、フロント側のストッパハンドル６３を一方に回動させる。このストッパハンドル６３の一方への回動により、対物レンズ４４の下方への移動がロックされる。
【００３８】
この状態に、粗動ハンドル５６及び微動ハンドル５７を回転操作して対物レンズ４４を上方へ移動し、対物レンズ４４を交換したり、標本を交換、又は標本に対して処理するなどの作業中に、粗動ハンドル５６及び微動ハンドル５７を誤って操作しても、対物レンズ４４はロックされた位置以下に下降せず、標本に対する安全が図れる。
【００３９】
又、対物レンズ４４を交換したり、標本を交換、又は標本に対して処理するなどの作業の終了後に、再び標本に対して焦準を行う場合、対物レンズ４４をロックされる位置まで下降し、ストッパハンドル６３によりロックを解除すれば、再焦準を容易にできる。
【００４０】
このように上記一実施の形態においては、ステージ３７の先端部を含むフロント側に、粗動軸５４と微動軸５５とを同軸に設け、これら粗動軸５４と微動軸５５との一端側に粗動ハンドル５６と微動ハンドル５７とを取り付けると共に、これら粗動軸５４及び微動軸５５とステージ３７よりも奥方にある粗動軸４５及び微動軸４６とをタイミングベルト６１、丸ベルト６２を介して連動させて、対物レンズ４４を微動、粗動させるようにしたので、例えば、標本に対してマニュプレータを繋いで標本を観察し取り調べる場合や、標本の大きさが大きくなって垂直部３２と水平アーム部３３との間にスペーサを介在させて接眼レンズ３５の位置（アイポイント）が高くなった場合でも、容易にフロント側の粗動ハンドル５６及び微動ハンドル５７を操作でき、標本観察中の操作性を向上できる。
【００４１】
又、フロント側の粗動軸５４や微動軸５５、粗動ハンドル５６、微動ハンドル５７（粗微動焦準操作部）の構造は、ステージ３７の奥方にある粗動軸４５や微動軸４６、粗動ハンドル４７、微動ハンドル４８（粗微動焦準機構）と略同一構造であり、かつタイミングベルト６１、丸ベルト６２を介して連動させた構成なので、簡単な構成で、かつガタが殆どなく、伝達精度を高くできる。
【００４２】
従って、これら粗微動焦準操作部、粗微動焦準機構及び連動機構の組み立てが簡単であり、かつその調整も容易となり、そのうえ安価にできる。
【００４３】
又、フロント側にストッパハンドル６３も設けたので、対物レンズ４４の下方への移動をロックして再焦準するとき、例えば、標本に対してマニュプレータを繋いで標本を観察し取り調べる場合や、標本の大きさが大きくなってアイポイントが高くなった場合でも、容易に再焦準の操作ができる。
【００４４】
本実施形態による粗微動操作機構は、既存の焦準機構を有する顕微鏡に対して、簡単に後付けが可能である。すなわち、操作部本体が固定された固定台を顕微鏡フレームのベース部先端に取り付けるとともに、既存の焦準機構の粗動、微動ハンドルをそれぞれプーリに交換し、操作部本体の粗動、微動のプーリとの間を２本のベルトで連結すればよいから、観察光軸より後側に配置されている既存の焦準機構をそのまま利用して大きな改造を施すことなく焦準操作部を観察光軸より手前側に持ってくることができる。
【００４５】
本実施形態では、操作部本体を顕微鏡フレームのベース部に固定するための取付台を、ステージを支持する足の固定用としても兼用している。このようにすることで、大型のステージを安定して保持できるとともに、粗微動焦準操作部が手前に配置されているので、ステージが大型化されて手前側に張り出した場合でも焦準機構の操作性を良好に保つことができる。
【００４６】
なお、本発明は、上記一実施の形態に限定されるものでなく、実施段階ではその要旨を逸脱しない範囲で種々に変形することが可能である。
【００４７】
さらに、上記実施形態には、種々の段階の発明が含まれており、開示されている複数の構成要件における適宜な組み合わせにより種々の発明が抽出できる。例えば、実施形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００４８】
例えば、上記一実施の形態は、次の通り変形してもよい。
【００４９】
上記一実施の形態では、対物レンズ４４を取り付けるレボルバアーム４２をフロント側の粗動ハンドル５６及び微動ハンドル５７により上下動させているが、ステージ３７を上下動させる構成としてもよい。
【００５０】
又、各粗動ハンドル４７、５６及び各微動ハンドル４８、５７は、図３に示す顕微鏡の右側に取り付けているが、左側に取り付けたり、両側に取り付けてもよい。
【００５１】
【発明の効果】
以上詳記したように本発明によれば、簡単な構成で、容易にフロント側の粗動ハンドル及び微動ハンドルを操作でき、標本観察中の操作性を向上できる顕微鏡の焦準装置を提供できる。
【図面の簡単な説明】
【図１】本発明に係わる顕微鏡の焦準装置の一実施の形態を示す側面構成図。
【図２】本発明に係わる顕微鏡の焦準装置の一実施の形態を示す正面構成図。
【図３】本発明に係わる顕微鏡の焦準装置の一実施の形態を示す上方から見たベース部の断面構成図。
【図４】本発明に係わる顕微鏡の焦準装置の一実施の形態における粗動軸の中央部の断面構成図。
【図５】本発明に係わる顕微鏡の焦準装置の一実施の形態における歯付きプーリ５８に掛けられたタイミングベルトを示す図。
【図６】従来の顕微鏡焦準装置の構成図。
【符号の説明】
３０：顕微鏡フレーム
３１：ベース部
３２：垂直部
３３：水平アーム部
３４ａ，３４ｂ：光源
３５：接眼レンズ
３６：足
３６ａ：固定台
３７：ステージ
３８：支持台
３９：コンデンサレンズ
４０：上下台
４１：ガイド体
４２：レボルバアーム
４３：対物レンズ
４４：レボルバ
４５：粗動軸
４６：微動軸
４７：粗動ハンドル
４８：微動ハンドル
４９：歯付きプーリ
５０：微動プーリ
５１：ピニオン部
５２：ラック
５３：軸受け
５４：粗動軸
５４Ａ：操作部本体
５５：微動軸
５６：粗動ハンドル
５７：微動ハンドル
５８：歯付きプーリ
５９：微動つまみ
６０：軸受け
６１：タイミングベルト
６２：丸ベルト
６３：ストッパハンドル
【図１】
0004717185.tif 000002
【図２】
0004717185.tif 000003
【図３】
0004717185.tif 000004
【図４】
0004717185.tif 000005
【図５】
0004717185.tif 000006
【図６】
0004717185.tif 000007